(57)【要約】【課題】薄型化及び小型化に有利であって、高い組立精度を実現可能なレンズアレイユニットを提供すること。【解決手段】１つの第１レンズ対Ａ１の有効領域外の主当接部３１を含む複数の当接部ＣＸによって、２次元的に第１及び第２レンズ要素１０ａ，２０ａが配された第１及び第２レンズアレイ１０，２０において必要とされる、Ｘ軸、Ｙ軸、Ｚ軸、θｘ軸、θｙ軸、及びφ軸の合計６軸を高精度に規定して第１及び第２レンズアレイ１０，２０を位置決めする。当接部ＣＸに１つの第１レンズ対Ａ１からなる主当接部３１を含めることで、第１及び第２レンズアレイ１０，２０の固定時のずれや歪みの影響を容易に抑えることができる。また、当接部ＣＸに主当接部３１を含めることで、第１及び第２レンズアレイ１０，２０に第１及び第２レンズ要素１０ａ，２０ａとは別に設ける位置決め部（当接部ＣＸ）の数を減らすことができるので、小型化や薄型化にも有利である。【選択図】図１
2014235307.tif 000002
【特許請求の範囲】
【請求項１】
２次元的に配列された複数の第１レンズ要素と前記複数の第１レンズ要素を周囲から支持する第１支持部とを有する第１レンズアレイと、
２次元的に配列された複数の第２レンズ要素と前記複数の第２レンズ要素を周囲から支持する第２支持部とを有する第２レンズアレイと、
を備え、
前記複数の第１レンズ要素は、前記複数の第２レンズ要素と対向して複数のレンズ要素対を構成しており、
前記複数のレンズ要素対には、対向する前記第１及び第２レンズ要素の有効領域外の部位が互いに当接する少なくとも１つの第１レンズ対と、対向する前記第１及び第２レンズ要素の有効領域外の部位が互いに離間する複数の第２レンズ対とが含まれ、
前記第１及び第２レンズアレイは、前記第１及び第２レンズアレイを空間的に位置決めするための複数の当接部で当接しており、
前記複数の当接部には、１つの前記第１レンズ対の有効領域外に設けられた主当接部が含まれ、
前記複数の当接部は、前記レンズ要素の並ぶ配列面方向における前記第１及び第２レンズアレイの相対位置と、前記第１及び第２レンズアレイの相対間隔と、前記第１及び第２レンズアレイ間の相対傾きと、前記配列面方向に垂直な軸周りの前記第１及び第２レンズアレイの相互回転角とを規定することを特徴とするレンズアレイユニット。
【請求項２】
前記主当接部は、単独で、少なくとも前記レンズ要素の並ぶ配列面方向における前記主当接部が配された第１レンズ対の第１及び第２レンズ要素の相対位置と、前記主当接部が配された第１レンズ対の第１及び第２レンズ要素の相対間隔とを規定し、他の前記当接部とともに前記相対傾きと前記相互回転角とを規定することを特徴とする請求項１に記載のレンズアレイユニット。
【請求項３】
前記主当接部は、前記第１レンズ対において前記第１レンズアレイ側と前記第２レンズアレイ側とで周状に当接することを特徴とする請求項２に記載のレンズアレイユニット。
【請求項４】
前記当接部は、前記主当接部と、前記第１及び第２支持部の少なくとも一方に設けられ前記主当接部とともに前記相対傾きを規定する、少なくとも異なる２つの位置で当接する第１構造部と、前記第１及び第２支持部の少なくとも一方に設けられ前記主当接部とともに前記相互回転角を規定する第２構造部とを有することを特徴とする請求項２及び３のいずれか一項に記載のレンズアレイユニット。
【請求項５】
前記第１及び第２構造部のうち少なくとも一方は、前記第１レンズ対に対して前記第１及び第２レンズアレイの中心を隔てた反対側に設けられることを特徴とする請求項４に記載のレンズアレイユニット。
【請求項６】
前記当接部は、前記主当接部と、前記主当接部とともに前記相互回転角を規定するもう１つの前記第１レンズ対の有効領域外に設けられた副当接部と、前記支持部に設けられ前記主当接部及び前記副当接部とともに前記相対傾きを規定する少なくとも１つの第１構造部とを有することを特徴とする請求項２及び３のいずれか一項に記載のレンズアレイユニット。
【請求項７】
前記第１構造部、前記主当接部、及び前記副当接部のうち、１つが残り２つに対して前記第１及び第２レンズアレイの中心を隔てた反対側に設けられることを特徴とする請求項６に記載のレンズアレイユニット。
【請求項８】
前記複数の当接部は、前記主当接部と、前記主当接部とともに前記相互回転角と前記相対傾きとを規定する、前記第１レンズ対の有効領域外に設けられた２つの副当接部とを含むことを特徴とする請求項２及び３のいずれか一項に記載のレンズアレイユニット。
【請求項９】
前記第１レンズ対の前記第２レンズアレイに対向する面の少なくとも前記当接部を含む第１領域は、凹形状を有し、
前記第１レンズ対の前記第１レンズアレイに対向する面の少なくとも前記当接部を含む第２領域は、凸形状を有し、
前記凹形状の第１領域の曲率の絶対値は、前記凸形状の第２領域の曲率の絶対値よりも大きいことを特徴とする請求項１から８までのいずれか一項に記載のレンズアレイユニット。
【請求項１０】
前記第２レンズ対の前記第２レンズアレイに対向する面と前記第１支持部との境界部は、前記第１レンズ対の前記第２レンズアレイに対向する面と前記第１支持部との境界部よりも前記配列面に垂直な方向に対して奥まった位置に形成されており、
前記第２レンズアレイの前記複数の第２レンズ要素の頂点は、前記配列面に平行な同一平面内に形成されていることを特徴とする請求項９に記載のレンズアレイユニット。
【請求項１１】
前記複数の当接部のうち前記主当接部を含む少なくとも３つの当接部の中心のうち１つは、前記第１又は第２レンズアレイの前記配列面において、前記３つの当接部の中心の残り２つを結ぶ直線上以外の位置にあることを特徴とする請求項１から１０までのいずれか一項に記載のレンズアレイユニット。
【請求項１２】
前記第１及び第２レンズアレイの少なくとも一方は、外周側に、一方から他方に向かって前記配列面に垂直な方向に突出するリム部を有し、
前記リム部の総高さは、前記第１及び第２レンズアレイの外周側における前記第１及び第２レンズアレイ間の距離よりも小さいことを特徴とする請求項１から１１までのいずれか一項に記載のレンズアレイユニット。
【請求項１３】
請求項１から１２までのいずれか一項に記載のレンズアレイユニットと、
前記複数のレンズ要素に対応して設けられたセンサーアレイと、
前記センサーアレイによって検出された画像信号に対して処理を行う画像処理部と、
を備えることを特徴とする撮像装置。
【発明の詳細な説明】
【技術分野】
【０００１】
本発明は、２次元的に配列された複数のレンズ要素を含むレンズアレイを積み重ねた複眼光学系用のレンズアレイユニット、及び当該レンズアレイユニットを組み込んだ撮像装置に関する。
【背景技術】
【０００２】
近年の撮像光学系に対する薄型化の要求は非常に高まっている。それに対応するために、光学設計による全長短縮やそれに伴う誤差感度増大に対応した製造精度向上を行ってきたが、さらなる薄型化の要求に対応するためには、従来の１つの光学系と撮像素子とによって像を得るという手法では不十分となっている。
【０００３】
そこで、撮像素子の領域を分割して、それぞれに光学系を配置し、得られた画像を処理することで、最終的な画像出力を行う複眼光学系と呼ばれる光学系が、薄型化への要求に対応するために注目されている。現在までに、各種の複眼光学系が提案されているが、薄型化しつつ高画質を得るためにレンズ間で高精度なアライメントを実現可能にする技術を提案しているものはなかった。
【０００４】
画像読取等に用いられる公知のレンズアレイ又はその組立品として、複数のレンズとこれらのレンズをつなぐホルダー部とを樹脂で一体成形し、ホルダー部に設けた凹部及び凸部により２つのレンズアレイを嵌合させるものがある（特許文献１参照）。特許文献１では、レンズアレイの組み立てにおいてフランジ部で位置決めが行われている。
【０００５】
ここで、複数のレンズアレイを積層する際に、積層するレンズアレイの各レンズ同士の相対位置精度を確保するため、平行偏心（２軸）、間隔、傾き（２軸）、回転の合計６軸の相対位置精度を保証する位置決めが必要となる。特許文献１のように、レンズアレイのフランジ部に位置決め部を設定した場合、金型成形において各レンズとフランジ部の位置決め部との間に高い位置決め精度が必要となる。しかしながら、上記特許文献１には、レンズアレイの嵌合に用いる凹凸部として、円柱状の凸部とこれと同一形状の円筒状の窪みからなる凹部の組み合わせや、直方体状の凸部とこれと同一形状の窪みからなる凹部との組合せが図示されているだけであり、実際の組み立てを想定したときの位置決め精度の確保について十分考慮がされていない。
【０００６】
特許文献１に開示された組み立て方法では、嵌合のみによって光軸に垂直な平面方向の位置決め精度を確保している。しかしながら、このような組み立て方法では、嵌合が不十分になりやすく、これが原因でレンズアレイ積層体の厚みの変動幅が大きくなったり、嵌合により歪みが生じてレンズアレイの光学性能に悪影響が生じたり、場合によっては、嵌合の過程でレンズアレイが破損したりするおそれがある。このため、レンズアレイの薄型化にも不利である。また、レンズの光学面を形成するための転写面とは別に、位置決めのための嵌合部を金型に形成すると、それだけ手間がかかることになるし、嵌合部の数が増すほど、これらを設けるためのスペースがなくなってくるため、光学性能を低下させずにレンズアレイを小型化させることが難しくなる。
【先行技術文献】
【特許文献】
【０００７】
【特許文献１】特開２０００−２２７５０５号公報
【発明の概要】
【０００８】
本発明は、上記背景技術に鑑みてなされたものであり、薄型化及び小型化に有利であって、高い組立精度を実現可能なレンズアレイユニット及びこれを組み込んだ撮像装置を提供することを目的とする。
【０００９】
上記課題を解決するため、本発明に係るレンズアレイユニットは、２次元的に配列された複数の第１レンズ要素と複数の第１レンズ要素を周囲から支持する第１支持部とを有する第１レンズアレイと、２次元的に配列された複数の第２レンズ要素と複数の第２レンズ要素を周囲から支持する第２支持部とを有する第２レンズアレイと、を備え、複数の第１レンズ要素は、複数の第２レンズ要素と対向して複数のレンズ要素対を構成しており、複数のレンズ要素対には、対向する第１及び第２レンズ要素の有効領域外の部位が互いに当接する少なくとも１つの第１レンズ対と、対向する第１及び第２レンズ要素の有効領域外の部位が互いに離間する複数の第２レンズ対とが含まれ、第１及び第２レンズアレイは、第１及び第２レンズアレイを空間的に位置決めするための複数の当接部で当接しており、複数の当接部には、１つの第１レンズ対の有効領域外に設けられた主当接部が含まれ、複数の当接部は、レンズ要素の並ぶ配列面方向における第１及び第２レンズアレイの相対位置と、第１及び第２レンズアレイの相対間隔と、第１及び第２レンズアレイ間の相対傾きと、配列面方向に垂直な軸周りの第１及び第２レンズアレイの相互回転角とを規定する。ここで、レンズ要素の並ぶ配列面方向における相対位置とは、Ｘ軸、Ｙ軸、及びＺ軸からなる直交座標において、Ｘ軸とＹ軸とで表されるＸＹ平面をレンズ要素の並ぶ配列面に平行な平面として、Ｘ軸及びＹ軸に関する座標で規定される複数の位置である。相対間隔とは、上記直交座標のうち残りのＺ軸に関する座標で規定される複数位置の間の距離である。相対傾きとは、回転座標のうちＸ軸を中心とするθｘ軸、及びＹ軸を中心とするθｙ軸に関する座標で規定される複数位置の間の傾きである。相互回転角とは、回転座標のうちＺ軸を中心とするφ軸に関する座標で規定される複数位置のなす角である。また、レンズ要素の有効領域外の部位とは、光路として使用される領域のさらに外側のレンズ要素の部位を意味する。
【００１０】
上記レンズアレイユニットでは、少なくとも１つの第１レンズ対の有効領域外に設けられた主当接部を含む複数の当接部によって、２次元的にレンズ要素が配されたレンズアレイにおいて必要とされる、Ｘ軸、Ｙ軸、Ｚ軸、θｘ軸、θｙ軸、及びφ軸の合計６軸を高精度に規定して第１及び第２レンズアレイを位置決めする。当接部に１つの第１レンズ対からなる主当接部を含めることで、レンズアレイの固定時のずれや歪みの影響を容易に抑えることができる。また、当接部に主当接部を含めることで、レンズアレイにレンズ要素とは別に設ける位置決め部（当接部）の数を減らすことができるので、小型化や薄型化にも有利である。
【００１１】
本発明の具体的な側面又は態様では、上記レンズアレイユニットにおいて、主当接部は、単独で、少なくともレンズ要素の並ぶ配列面方向における主当接部が配された第１レンズ対の第１及び第２レンズ要素の相対位置と、主当接部が配された第１レンズ対の第１及び第２レンズ要素の相対間隔とを規定し、他の当接部とともに相対傾きと相互回転角とを規定する。主当接部によって、主当接部が配される第１レンズ対について、相対位置及び相対間隔が規定されるため、他の当接部への制約（例えば、高い位置決め精度の必要性等）を小さくすることができ、比較的簡単な構成で精度よく位置決めを行いやすくなる。
【００１２】
本発明の別の側面では、主当接部は、第１レンズ対において第１レンズアレイ側と第２レンズアレイ側とで周状に当接する。この場合、第１レンズ対における第１及び第２レンズアレイが円形線上で相互に支持されるため、第１及び第２レンズアレイの位置を容易に安定させることができる。
【００１３】
本発明のさらに別の側面では、当接部は、主当接部と、第１及び第２支持部の少なくとも一方に設けられ主当接部とともに相対傾きを規定する、少なくとも異なる２つの位置で当接する第１構造部と、第１及び第２支持部の少なくとも一方に設けられ主当接部とともに相互回転角を規定する第２構造部とを有する。この場合、１つの第１レンズ対に当接部を設けることにより、少なくともいずれかの支持部に他の当接部である第１及び第２構造部を設けたとしても上記６軸に関する座標を確実に規定することができる。
【００１４】
本発明のさらに別の側面では、第１及び第２構造部のうち少なくとも一方は、第１レンズ対に対して第１及び第２レンズアレイの中心を隔てた反対側に設けられる。この場合、上記６軸のうちθｘ軸、θｙ軸、及びφ軸に関する座標を確実に規定することができる。
【００１５】
本発明のさらに別の側面では、当接部は、主当接部と、主当接部とともに相互回転角を規定するもう１つの第１レンズ対の有効領域外に設けられた副当接部と、支持部に設けられ主当接部及び副当接部とともに相対傾きを規定する少なくとも１つの第１構造部とを有する。この場合、２つの第１レンズ対に当接部を設けることにより、支持部に少なくとも１つの当接部を設ければ上記６軸に関する座標を確実に規定することができる。
【００１６】
本発明のさらに別の側面では、第１構造部、主当接部、及び副当接部のうち、１つが残り２つに対して第１及び第２レンズアレイの中心を隔てた反対側に設けられる。この場合、上記６軸のうちθｘ軸及びθｙ軸に関する座標を確実に規定することができる。
【００１７】
本発明のさらに別の側面では、複数の当接部は、主当接部と、主当接部とともに相互回転角と相対傾きとを規定する、第１レンズ対の有効領域外に設けられた２つの副当接部とを含む。この場合、支持部に当接部を設ける必要がなく、金型設計を容易にすることができる。また、全て第１レンズ対でレンズアレイを支持するため、各第１レンズ対での支持領域が略均一となり位置決め精度が向上する。また、上記６軸に関する座標を確実に規定することができる。
【００１８】
本発明のさらに別の側面では、第１レンズ対の第２レンズアレイに対向する面の少なくとも当接部を含む第１領域は、凹形状を有し、第１レンズ対の第１レンズアレイに対向する面の少なくとも当接部を含む第２領域は、凸形状を有し、凹形状の第１領域の曲率の絶対値は、凸形状の第２領域の曲率の絶対値よりも大きい。この場合、有効領域を確保しつつレンズ要素同士を周状に当接させ、積層状態を安定させることができる。
【００１９】
本発明のさらに別の側面では、第２レンズ対の第２レンズアレイに対向する面と第１支持部との境界部は、第１レンズ対の第２レンズアレイに対向する面と第１支持部との境界部よりも配列面に垂直な方向に対して奥まった位置に形成されており、第２レンズアレイの複数の第２レンズ要素の頂点は、配列面に平行な同一平面内に形成されている。この場合、第１レンズ対においてのみ第１及び第２レンズアレイのレンズ要素が確実に当接する。
【００２０】
本発明のさらに別の側面では、複数の当接部のうち主当接部を含む少なくとも３つの当接部の中心のうち１つは、第１又は第２レンズアレイの配列面において、３つの当接部の中心の残り２つを結ぶ直線上以外の位置にある。この場合、レンズアレイの固定時のずれや歪みの影響をより抑えることができる。
【００２１】
本発明のさらに別の側面では、第１及び第２レンズアレイの少なくとも一方は、外周側に、一方から他方に向かって配列面に垂直な方向に突出するリム部を有し、リム部の総高さは、第１及び第２レンズアレイの外周側における第１及び第２レンズアレイ間の距離よりも小さい。この場合、第１レンズ対の主当接部によって第１及び第２レンズアレイの相対間隔を規定できるため、支持部上の当接部のみで位置決めする場合よりも薄いレンズアレイユニットを得ることができる。
【００２２】
上記課題を解決するため、本発明に係る撮像装置は、上述のレンズアレイユニットと、複数のレンズ要素に対応して設けられたセンサーアレイと、センサーアレイによって検出された画像信号に対して処理を行う画像処理部と、を備える。
【００２３】
上記撮像装置では、上述したレンズアレイユニットを用いるので、薄型で高精度の合成レンズを配列したレンズアレイユニットを備える複眼光学系によって薄型ながら高精度の撮影が可能になる。
【図面の簡単な説明】
【００２４】
【図１】（Ａ）及び（Ｂ）は、第１実施形態のレンズアレイユニット等を説明する平面図及び側方断面概念図である。
【図２】（Ａ）は、レンズアレイユニットを構成する第１レンズアレイの平面図であり、（Ｂ）は、第１レンズアレイの側方断面図であり、（Ｃ）は、第１レンズアレイの裏面図である。
【図３】（Ａ）は、レンズアレイユニットを構成する第２レンズアレイの平面図であり、（Ｂ）は、第２レンズアレイの側方断面図である。
【図４】（Ａ）及び（Ｂ）は、図１（Ａ）等に示すレンズアレイ用の成形金型を説明する部分拡大断面図及び断面概念図である。
【図５】（Ａ）は、第２実施形態のレンズアレイユニットを構成する第１レンズアレイの平面図であり、（Ｂ）は、レンズアレイユニットの側方断面概念図であり、（Ｃ）は、第２レンズアレイの平面図である。
【図６】（Ａ）は、第３実施形態のレンズアレイユニットを構成する第１レンズアレイの平面図であり、（Ｂ）は、レンズアレイユニットの側方断面概念図であり、（Ｃ）は、第２レンズアレイの平面図である。
【図７】（Ａ）は、第４実施形態のレンズアレイユニットを構成する第１レンズアレイの平面図であり、（Ｂ）は、レンズアレイユニットの側方断面概念図であり、（Ｃ）は、第２レンズアレイの平面図である。
【図８】（Ａ）は、第５実施形態のレンズアレイユニットを構成する第１レンズアレイの平面図であり、（Ｂ）は、レンズアレイユニットの側方断面概念図であり、（Ｃ）は、第２レンズアレイの平面図である。
【発明を実施するための形態】
【００２５】
〔第１実施形態〕
図１（Ａ）及び１（Ｂ）に示すように、本実施形態の積層型レンズアレイユニット１００は、撮像装置１０００に組み込まれる。
図示の積層型レンズアレイユニット１００は、複数（具体的には２つ）の第１及び第２レンズアレイ１０，２０を積み重ねた積層体であり、複眼光学系として用いられる。これらの第１及び第２レンズアレイ１０，２０は、ＸＹ面に平行に延びる矩形平板状の部材であり、ＸＹ面に垂直なＺ軸方向に積み重ねられて相互に接合されている。
【００２６】
なお、撮像装置１０００は、上述したレンズアレイユニット１００の他に、レンズアレイユニット１００を構成する個々の合成レンズ１ａに対応して設けられた複数の検出部（センサー要素）６１を有するセンサーアレイ６０と、センサーアレイ６０によって検出された画像信号に対して視野分割方式又は超解像方式に適合する画像処理を行う画像処理部６５とを備える。レンズアレイユニット１００は、センサーアレイ６０に接合され、矩形枠状のケース５０に収納されている。ここで、視野分割方式とは、個々のレンズによって結像された異なる視野の画像を、画像処理よって各視野の画像をつなぎ合わせることで１つの画像を得る方式を指す。また、超解像方式とは、個々のレンズによって結像された同じ視野の画像から画像処理によって１つの高解像度の画像を得る方式を指す。
【００２７】
レンズアレイユニット１００において、物体側の第１レンズアレイ１０は、樹脂製の一体成形品であり、中心軸ＡＸ方向又はＺ軸方向から見て略正方形の輪郭を有する。第１レンズアレイ１０は、それぞれが光学素子である複数の第１レンズ要素１０ａと、複数の第１レンズ要素１０ａを周囲から支持する第１支持部１０ｂと、第１支持部１０ｂの外側に帯状に延在し、像側に向かって配列面に垂直な方向に突出する矩形枠状のリム部１０ｒとを有する。第１レンズアレイ１０を構成する複数の第１レンズ要素１０ａは、ＸＹ面に平行に配列された正方の格子点（図示の例では３×３の９点）上に２次元的に配置されている。各第１レンズ要素１０ａは、物体側の第１主面１０ｐにおいて凸の第１光学面１１ａを有し、物体側の第２主面１０ｑにおいて凹の第２光学面１１ｂを有し、両光学面１１ａ，１１ｂは、例えば非球面となっている。第１支持部１０ｂは、平板状の部分であり、各第１レンズ要素１０ａの周りをそれぞれ囲むように複数の周囲部分１０ｃを備える。第１支持部１０ｂの横方向の周辺又は外側にある矩形枠状のリム部１０ｒは、第１レンズアレイ１０を第２レンズアレイ２０と接合するための部分となっている。
【００２８】
図１（Ｂ）に示す像側の第２レンズアレイ２０は、樹脂製の一体成形品であり、中心軸ＡＸ方向から見て略正方形の輪郭を有する。第２レンズアレイ２０は、それぞれが光学素子である複数の第２レンズ要素２０ａと、複数の第２レンズ要素２０ａを周囲から支持する第２支持部２０ｂとを有する。複数の第２レンズ要素２０ａは、ＸＹ面に平行に配列された正方の格子点（図示の例では３×３の９点）上に２次元的に配置されている。各第２レンズ要素２０ａは、物体側の第１主面２０ｐにおいて凸の第１光学面２１ａを有し、像側の第２主面２０ｑにおいて凹の第２光学面２１ｂを有し、両光学面２１ａ，２１ｂは、例えば非球面となっている。第２支持部２０ｂは、平板状の部分であり、各第２レンズ要素２０ａの周りをそれぞれ囲むように複数の周囲部分２０ｃを備える。
【００２９】
以上の第１及び第２レンズアレイ１０，２０は、機械や手作業によって順次積み重ねることによって、自身の構造及び自重で互いに位置決めされる。つまり、セルフアライメントされる。また、第１及び第２レンズアレイ１０，２０は、積み重ねる際に支持部１０ｂ，２０ｂ間に例えば光硬化性樹脂を供給し積み重ねた後に光硬化性樹脂を硬化させるよって、互いに接合又は接着される。このような接合又は接着によって、２次元的にマトリックス状に配列された多数の合成レンズ１ａを備えるレンズアレイユニット１００が得られる。各合成レンズ１ａの光軸ＯＡは、全体の中心軸ＡＸに平行になっている。なお、本実施形態において、理想的には、後述する３つの当接部ＣＸの全てが第１及び第２レンズアレイ１０，２０間で接触した状態にある。但し、実際の製造工程においては、形状誤差や位置誤差を完全になくすことはできないため、許容可能な一定範囲のバラツキを公差として認めている。このため、場合によっては、一部の当接部ＣＸのみにおいて第１及び第２レンズアレイ１０，２０が当接し、他の当接部ＣＸでは第１及び第２レンズアレイ１０，２０は当接せず近接した状態となることもあり得る。これは、他の実施形態においても同様である。従って、本明細書においては、当接部ＣＸにおいて第１レンズアレイ１０と第２レンズアレイ２０とが公差内で近接している場合も当接しているものとみなす。
【００３０】
レンズアレイユニット１００を収納するケース５０の物体側には、ケース５０への接着等によって固定された入射絞り板４５が配置されている。ケース５０や入射絞り板４５には、詳細な説明を省略するが、各第１レンズ要素１０ａ等に対応して多数の開口が形成されている。レンズアレイユニット１００は、物体側の光学面以外の領域や側面などをケース５０に接着するなどして、ケース５０に固定されている。なお、第１レンズアレイ１０と第２レンズアレイ２０との間や第２レンズアレイ２０の像側に薄い遮光性の絞り板を設けてもよい。
【００３１】
以下、レンズアレイユニット１００を構成する第１及び第２レンズアレイ１０，２０について詳述する。図１（Ｂ）等に示すように、レンズアレイユニット１００には、複数のレンズ要素対ＬＰが設けられている。レンズ要素対ＬＰは、第１及び第２レンズ要素１０ａ，２０ａで構成されている。第１レンズアレイ１０の複数の第１レンズ要素１０ａは、第２レンズアレイ２０の複数の第２レンズ要素２０ａと対向している。複数の第１及び第２レンズ要素対ＬＰには、対向する第１及び第２レンズ要素１０ａ，２０ａの有効領域外の部位が互いに当接する１つの第１レンズ対Ａ１と、対向する第１及び第２レンズ要素１０ａ，２０ａの有効領域外の部位が互いに離間する複数の第２レンズ対Ａ２とが含まれている。第１レンズアレイ１０と第２レンズアレイ２０との間には、１つの第１レンズ対Ａ１の有効領域外に設けられた主当接部３１を含み第１及び第２レンズアレイ１０，２０を空間的に位置決めする複数の当接部ＣＸが設けられている。ここで、主当接部３１は、第１レンズ対Ａ１において第１レンズアレイ１０側と第２レンズアレイ２０側とで周状に当接する。第１レンズ対Ａ１における第１及び第２レンズアレイ１０，２０が円形線上で相互に支持されるため、第１及び第２レンズアレイ１０，２０の位置関係が安定した状態となっている。
【００３２】
複数の当接部ＣＸは、第１及び第２レンズ要素１０ａ，２０ａの並ぶ配列面（ＸＹ面）方向における第１及び第２レンズアレイ１０，２０の相対位置と、第１及び第２レンズアレイ１０，２０の相対間隔と、第１及び第２レンズアレイ１０，２０間の相対傾きと、配列面方向に垂直な軸周りの第１及び第２レンズアレイ１０，２０の相互回転角とを規定する。ここで、第１及び第２レンズ要素１０ａ，２０ａの並ぶ配列面方向における相対位置とは、Ｘ軸、Ｙ軸、及びＺ軸からなる直交座標において、Ｘ軸とＹ軸とで表されるＸＹ平面を第１及び第２レンズ要素１０ａ，２０ａの並ぶ配列面に平行な平面として、Ｘ軸及びＹ軸に関する座標で規定される複数の位置である。相対間隔とは、上記直交座標のうち残りのＺ軸に関する座標で規定される複数位置の間の距離である。相対傾きとは、回転座標のうちＸ軸を中心とするθｘ軸、及びＹ軸を中心とするθｙ軸に関する座標で規定される複数位置の間の傾きである。相互回転角とは、回転座標のうちＺ軸を中心とするφ軸に関する座標で規定される複数位置のなす角である。また、第１及び第２レンズ要素１０ａ，２０ａの有効領域外とは、光路として使用される領域のさらに外側のことを意味する。
【００３３】
当接部ＣＸは、主当接部３１と、主当接部３１とともに相対傾きを規定する２つの第１構造部３２と、主当接部３１とともに相互回転角を規定する第２構造部３３とを有する。主当接部３１は、単独で、少なくとも第１及び第２レンズ要素１０ａ，２０ａの配列面方向における、主当接部３１内の第１レンズ対Ａ１を構成する第１及び第２レンズ要素１０ａ，２０ａの相対位置と、主当接部３１内の第１レンズ対Ａ１を構成する第１及び第２レンズ要素１０ａ，２０ａの相対間隔とを規定し、他の当接部ＣＸ（構造部３２，３３）とともに相対傾きと相互回転角とを規定する。
【００３４】
第１レンズ対Ａ１において、第１レンズアレイ１０の第２光学面１１ｂの少なくとも有効領域外の部位（第１領域）の曲率の絶対値は、第２レンズアレイ２０の第１光学面２１ａの少なくとも有効領域外の部位（第２領域）の曲率の絶対値よりも大きくなっている。これにより、第１及び第２レンズ要素１０ａ，２０ａ同士が有効領域を確保しつつ周状に当接した状態となる。第２レンズ対Ａ２のうち第１レンズアレイ１０の第２光学面１１ｂと、第１レンズアレイ１０の第１支持部１０ｂとの境界部ＢＲ１は、第１レンズ対Ａ１のうち第１レンズアレイ１０の第２光学面１１ｂと、第１レンズアレイ１０の第１支持部１０ｂとの境界部ＢＲ２よりも配列面に垂直な方向に対して奥まった位置に形成されている。また、第２レンズアレイ２０の複数の第２レンズ要素２０ａの頂点Ｐは、配列面に平行な同一平面Ｓ１内に形成されている。
【００３５】
第１及び第２構造部３２，３３は、第１レンズ対Ａ１に対して第１及び第２レンズアレイ１０，２０の中心を隔てた反対側に設けられる。あるいは、第１レンズ対Ａ１と第１及び第２構造部３２，３３のうち一方が、第１及び第２構造部３２，３３のうち他方に対して第１及び第２レンズアレイ１０，２０の中心を隔てた反対側に設けられているとみることもできる。具体的には、第１及び第２構造部３２，３３は、第１支持部１０ｂに延在する矩形枠状のリム部１０ｒの四辺のうち主当接部３１に対向する一辺側に設けられている。
【００３６】
図３（Ａ）及び３（Ｂ）等に示すように、２つの第１構造部３２は、第２レンズアレイ２０の第２支持部２０ｂと一体であり、ＸＹ面内において主当接部３１とともに三角形の頂点に相当する位置に設けられている。つまり、有効領域外の部位が主当接部３１となる第１レンズ対Ａ１の中心（以下、主当接部３１の中心ということもある）及び２つの第１構造部３２の中心のうち１つは、第１又は第２レンズアレイ１０，２０の配列面方向において、３つの当接部ＣＸの中心の残り２つを結ぶ直線上以外の位置にある。第１構造部３２は、第２レンズアレイ２０の第２支持部２０ｂから突出した凸形状を有する。
【００３７】
図１（Ａ）に示すように、第２構造部３３は、溝１２ｂと突起部２２ｂとで構成される。第２構造部３３は、主当接部３１の中心とレンズアレイユニット１００の中心軸ＡＸとを通る直線上に設けられている。図２（Ａ）〜２（Ｃ）に示すように、溝１２ｂは、第１レンズアレイ１０における第１支持部１０ｂの裏面（第２レンズアレイ２０に対向する面）側に設けられたリム部１０ｒに設けられている。図３（Ａ）及び３（Ｂ）に示すように、突起部２２ｂは、第２レンズアレイ２０の第２支持部２０ｂと一体であり、第２支持部２０ｂの表面（第１レンズアレイ１０に対向する面）から突出して設けられている。溝１２ｂと突起部２２ｂとが嵌合することによって、第１及び第２レンズアレイ１０，２０の相互回転角が規定される。なお、本実施形態においては、嵌合によって位置決めするのは、溝１２ｂと突起部２２ｂとによる当接部１つに限られている。また、溝１２ｂを主当接部３１から遠い位置に設けることにより、φ軸方向の位置決め精度を高くすることができるため、溝１２ｂと突起部２２ｂの位置や形状に求められる精度を比較的低くすることができる。このため、溝１２ｂと突起部２２ｂとを、嵌合によってレンズアレイに歪みを生じさせることのない程度の隙間を持つ関係に形成することができる。このようにすることで、嵌合が不十分になったり、第１及び第２レンズアレイ１０，２０の積層体の厚みの変動幅が大きくなったりせず、歪みによるレンズアレイの光学性能の低下等を防ぐことができる。
【００３８】
第１レンズアレイ１０の外周側に設けられたリム部１０ｒの高さＨ１（第１支持部１０ｂの像側面からリム部１０ｒの像側面までの距離）は、第１及び第２レンズアレイ１０，２０の外周側における第１及び第２レンズアレイ１０，２０間の距離Ｈ２（第１支持部１０ｂの像側面から第２レンズアレイ２０の第２支持部２０ｂの物体側までの距離）よりも小さい。これにより、第１レンズ対Ａ１の主当接部３１によって第１及び第２レンズアレイ１０，２０の相対間隔を規定できるため、支持部１０ｂ上の当接部のみで位置決めする場合よりも薄いレンズアレイユニット１００を得ることができる。
【００３９】
なお、本実施形態においては、第１構造部３２を２つ配置しているが、３つ以上配置してもよい。逆に、第１構造部３２を長く形成して、異なる２つの位置で接しているのと実質的に等価であるならば、１つだけ配置するようにしても構わない。図１の例であれば、第２構造部３３を例えば第１及び第２レンズアレイ１０，２０の角部に設けるなどして、第１構造部３２と第２構造部３３とが干渉しないようにすることが望ましい。
【００４０】
以下、レンズアレイユニット１００等の製造方法について説明する。
まず、第１及び第２レンズアレイ１０，２０を成形する。第１レンズアレイ１０等は、射出成形によって形成される。
【００４１】
図４（Ａ）は、第１レンズアレイ１０を成形するための金型を説明する図である。金型装置７０は、第１金型７１と第２金型７２とを備える。第１金型７１と第２金型７２とは、型合わせ面ＰＬで型合わせされ、金型７１，７２間にキャビティ７０ａを形成する。キャビティ７０ａに臨むように、第１金型７１には、第１レンズアレイ１０の第１主面１０ｐ側の形状を転写するための転写面７１ｃが形成され、第２金型７２には、第１レンズアレイ１０の第２主面１０ｑ側の形状を転写するための転写面７２ｃが形成されている。転写面７１ｃ，７２ｃは、第１レンズ要素１０ａの光学面１１ａ，１１ｂを転写するため、その一部に２次元的に配列された複数の光学転写部７１ｇ，７２ｇを有する。また、転写面７２ｃは、リム部１０ｒを転写するための転写部７２ｒ等を有する。第１金型７１において、転写面７１ｃを形成する金型部分７１ｉは、一体的に形成されており、第２金型７２において、転写面７２ｃを形成する金型部分７２ｉは、一体的に形成されている。金型装置７０には、キャビティ７０ａに連通するゲートＧＡが形成されている。この場合、ゲートＧＡは、転写面７１ｃ，７２ｃの中央ではなく側方に配置されており、サイドゲート方式で射出成形が行われる。なお、第２構造部３３を構成する溝１２ｂを成形するための転写面も金型７２に形成されている。光学転写面と位置決めを行うための構造部を構成する部位の転写面とを同じ金型に精度よく形成することで、成形品におけるこれらの位置精度を常に一定に保つことができる。
【００４２】
図４（Ｂ）は、金型装置７０の全体構造を説明する断面概念図である。図４（Ｂ）のキャビティ７０ａには、ゲートＧＡを介してランナーＲＡが連結され、ランナーＲＡは、樹脂供給側のスプルーＳＰに繋がっている。結果的に、熱可塑性樹脂を溶融させることによって得たスプルーＳＰからの溶融樹脂Ｊは、ランナーＲＡを充填し、ゲートＧＡを介してキャビティ７０ａを充填する。溶融樹脂Ｊの冷却後に第１金型７１と第２金型７２とを離間させることで、スプルーＳＰに対応するスプルー部８１と、ランナーＲＡに対応するランナー部８２と、ゲートＧＡに対応するゲート部８３と、キャビティ７０ａに対応するレンズアレイ本体８４とを備える成形品８０が形成される。ここで、ゲート部８３に対しては、ゲートカット処理が施され、ゲート部８３の先のレンズアレイ本体８４によって、第１レンズアレイ１０が得られる。
【００４３】
なお、第２レンズアレイ２０も第１レンズアレイ１０と同様の手法によって成形される。つまり、第２レンズアレイ２０も、熱可塑性樹脂をサイドゲート方式で射出成形することによって製造される。
【００４４】
次に、成形した第１及び第２レンズアレイ１０，２０を積層する。
第１レンズアレイ１０の上方に第２レンズアレイ２０を重ねるように組み立てる。これにより、第１レンズ対Ａ１の主当接部３１によって、単独で、第１及び第２レンズ要素１０ａ，２０ａの並ぶ配列面方向における主当接部３１が配された第１レンズ対Ａ１の第１及び第２レンズ要素１０ａ，２０ａの相対位置及び相対間隔が位置決めされる。また、主当接部３１と２つの第１構造部３２とによって第１及び第２レンズアレイ１０，２０間の相対傾き（θｘ軸及びθｙ軸に関する座標）が位置決めされる。また、第２構造部３３の溝１２ｂと突起部２２ｂとを嵌合すると、主当接部３１と第２構造部３３とによって第１及び第２レンズアレイ１０，２０の相互回転角（φ軸に関する座標）が位置決めされる。上記相互回転角が決まることで、第１及び第２レンズアレイ１０，２０の相対位置（Ｘ軸及びＹ軸に関する座標）が位置決めされる。また、上記相対傾きが決まることで、第１及び第２レンズアレイ１０，２０の相対間隔（Ｚ軸に関する座標）が位置決めされる。
【００４５】
以上のように第１及び第２レンズアレイ１０，２０の６軸を位置決めした状態で、第１及び第２レンズアレイ１０，２０の第１及び第２支持部１０ｂ，２０ｂであって主当接部３１及び２つの第１構造部３２の付近である接着剤塗布部ＵＴ（図３（Ａ）のみに図示）に接着剤を塗布し、紫外線を照射させることで硬化させる。これにより、第１及び第２レンズアレイ１０，２０が積層した状態で安定して位置決めされ固定されたレンズアレイユニット１００を得る。このレンズアレイユニット１００と図１（Ｂ）等に示すセンサーアレイ６０等がケース５０に収納され、撮像装置１０００が得られる。
【００４６】
なお、以上において、第１及び第２レンズアレイ１０，２０を重ねた後に接着剤を塗布するのではなく、第１及び第２レンズアレイ１０，２０を重ねる前に第１及び第２レンズアレイ１０，２０のうち少なくとも一方の上に接着剤を塗布してもよい。
【００４７】
上記第１実施形態のレンズアレイユニット１００によれば、１つの第１レンズ対Ａ１の有効領域外の主当接部３１を含む複数の当接部ＣＸによって、２次元的に第１及び第２レンズ要素１０ａ，２０ａが配された第１及び第２レンズアレイ１０，２０において必要とされる、Ｘ軸、Ｙ軸、Ｚ軸、θｘ軸、θｙ軸、及びφ軸の合計６軸を高精度に規定して第１及び第２レンズアレイ１０，２０を位置決めする。当接部ＣＸに１つの第１レンズ対Ａ１からなる主当接部３１を含めることで、第１及び第２レンズアレイ１０，２０の固定時のずれや歪みの影響を容易に抑えることができる。また、当接部ＣＸに主当接部３１を含めることで、第１及び第２レンズアレイ１０，２０に第１及び第２レンズ要素１０ａ，２０ａとは別に設ける位置決め部（当接部ＣＸ）の数を減らすことができるので、小型化や薄型化にも有利になる。
【００４８】
〔第２実施形態〕
以下、第２実施形態に係るレンズアレイ等について説明する。なお、第２実施形態のレンズアレイ等は、第１実施形態のレンズアレイ等を変形したものであり、特に説明しない部分は第１実施形態と同様である。
【００４９】
図５（Ａ）〜５（Ｃ）に示すように、レンズアレイユニット１００において、当接部ＣＸは、主当接部３１と、主当接部３１とともに相互回転角を規定するもう１つの第１レンズ対Ａ１の有効領域外に設けられた副当接部３４と、主当接部３１及び副当接部３４とともに相対傾きを規定する１つの第１構造部３２とを有する。
【００５０】
第１構造部３２は、２つの第１レンズ対Ａ１に対して第１及び第２レンズアレイ１０，２０の中心を隔てた反対側に設けられる。あるいは、第１構造部３２と２つの第１レンズ対Ａ１の一方が、２つの第１レンズ対Ａ１の他方に対して第１及び第２レンズアレイ１０，２０の中心を隔てた反対側に設けられているとみることもできる。具体的には、第１構造部３２は、第１レンズアレイ１０の第１支持部１０ｂに延在する矩形枠状のリム部１０ｒの四辺のうち主当接部３１及び副当接部３４に対向する一辺側に設けられている。
【００５１】
図５（Ａ）及び５（Ｃ）等に示すように、主当接部３１と副当接部３４と第１構造部３２とは、ＸＹ面内において三角形の頂点に相当する位置に設けられている。つまり、有効領域外の部位が主当接部３１となる第１レンズ対Ａ１の中心、有効領域外の部位が副当接部３４となる第１レンズ対Ａ１の中心、及び第１構造部３２の中心のうち１つは、第１又は第２レンズアレイ１０，２０の配列面方向において、３つの当接部ＣＸの中心の残り２つを結ぶ直線以外の位置にある。
【００５２】
第１及び第２レンズアレイ１０，２０の積層工程において、第１レンズアレイ１０の上方に第２レンズアレイ２０を重ねるように組み立てると、第１レンズ対Ａ１の主当接部３１によって、単独で、第１及び第２レンズ要素１０ａ，２０ａの並ぶ配列面方向における主当接部３１が配された第１レンズ対Ａ１の第１及び第２レンズ要素１０ａ，２０ａの相対位置及び相対間隔が位置決めされる。また、主当接部３１と副当接部３４とによって第１及び第２レンズアレイ１０，２０の相互回転角（φ軸に関する座標）が位置決めされる。また、主当接部３１と副当接部３４と第１構造部３２とによって第１及び第２レンズアレイ１０，２０間の相対傾き（θｘ軸及びθｙ軸に関する座標）が位置決めされる。上記相互回転角が決まることで、第１及び第２レンズアレイ１０，２０の相対位置（Ｘ軸及びＹ軸に関する座標）が位置決めされる。また、上記相対傾きが決まることで、第１及び第２レンズアレイ１０，２０の相対間隔（Ｚ軸に関する座標）が位置決めされる。
【００５３】
以上のように第１及び第２レンズアレイ１０，２０の６軸を位置決めした状態で、第１及び第２レンズアレイ１０，２０の第１及び第２支持部１０ｂ，２０ｂであって主当接部３１、副当接部３４、及び第１構造部３２の付近である接着剤塗布部ＵＴに接着剤を塗布し、紫外線を照射させることで硬化させる。これにより、第１及び第２レンズアレイ１０，２０が積層した状態で安定して位置決めされ固定されたレンズアレイユニット１００を得る。
【００５４】
上記第２実施形態のレンズアレイユニット１００によれば、２つの第１レンズ対Ａ１に当接部ＣＸ（主当接部３１及び副当接部３４）を設けることにより、第２支持部２０ｂに少なくとも１つの当接部ＣＸ（第１構造部３２）を設ければ上記６軸に関する座標を確実に規定することができる。
【００５５】
なお、図５（Ａ）等において、＋Ｙ側の第１レンズ対Ａ１の当接部ＣＸを主当接部３１とし、−Ｙ側の第１レンズ対Ａ１の当接部ＣＸを副当接部３４としたが、逆であってもよい。
【００５６】
〔第３実施形態〕
以下、第３実施形態に係るレンズアレイ等について説明する。なお、第３実施形態のレンズアレイ等は、第１実施形態のレンズアレイ等を変形したものであり、特に説明しない部分は第１実施形態と同様である。
【００５７】
図６（Ａ）〜６（Ｃ）に示すように、レンズアレイユニット１００において、当接部ＣＸは、主当接部３１と、主当接部３１とともに相対傾きと相互回転角とを規定する２つの第１レンズ対Ａ１の有効領域外に設けられた副当接部３４とを有する。
【００５８】
主当接部３１と２つの副当接部３４とは、ＸＹ面内において三角形の頂点に相当する位置に設けられている。つまり、有効領域外の部位が主当接部３１となる第１レンズ対Ａ１の中心、及び有効領域外の部位が副当接部３４となる２つの第１レンズ対Ａ１の中心のうち１つは、第１又は第２レンズアレイ１０，２０の配列面方向において、３つの当接部ＣＸの中心の残り２つを結ぶ直線上以外の位置にある。
【００５９】
第１及び第２レンズアレイ１０，２０の積層工程において、第１レンズアレイ１０の上方に第２レンズアレイ２０を重ねるように組み立てると、第１レンズ対Ａ１の主当接部３１によって、単独で、第１及び第２レンズ要素１０ａ，２０ａの並ぶ配列面方向における主当接部３１が配された第１レンズ対Ａ１の第１及び第２レンズ要素１０ａ，２０ａの相対位置及び相対間隔が位置決めされる。また、主当接部３１と２つの副当接部３４とによって第１及び第２レンズアレイ１０，２０間の相対傾き（θｘ軸及びθｙ軸に関する座標）及び第１及び第２レンズアレイ１０，２０の相互回転角（φ軸に関する座標）が位置決めされる。上記相互回転角が決まることで、第１及び第２レンズアレイ１０，２０の相対位置（Ｘ軸及びＹ軸に関する座標）が位置決めされる。また、上記相対傾きが決まることで、第１及び第２レンズアレイ１０，２０の相対間隔（Ｚ軸に関する座標）が位置決めされる
【００６０】
以上のように第１及び第２レンズアレイ１０，２０の６軸を位置決めした状態で、第１及び第２レンズアレイ１０，２０の第１及び第２支持部１０ｂ，２０ｂであって主当接部３１及び副当接部３４の付近である接着剤塗布部ＵＴに接着剤を塗布し、紫外線を照射させることで硬化させる。これにより、第１及び第２レンズアレイ１０，２０が積層した状態で安定して位置決めされ固定されたレンズアレイユニット１００を得る。
【００６１】
上記第３実施形態のレンズアレイユニット１００によれば、第１及び第２支持部１０ｂ，２０ｂに当接部ＣＸを設ける必要がなく、金型設計を容易にすることができる。また、全て第１レンズ対Ａ１で支持するため、各第１レンズ対Ａ１での支持領域が略均一となり位置決め精度が向上する。
【００６２】
なお、図６（Ａ）等において、＋Ｙ側の第１レンズ対Ａ１の当接部ＣＸを主当接部３１とし、−Ｙ側の第１レンズ対Ａ１の当接部ＣＸを副当接部３４としたが、３つの第１レンズ対Ａ１の当接部ＣＸのうちいずれを主当接部３１としてもよい。また、図６（Ａ）等において、ゲートＧＡ側（図示では＋Ｙ側）に１つの第１レンズ対Ａ１を配置し、ゲートＧＡと反対側（図示では−Ｙ側）に２つの第１レンズ対Ａ１を配置しているが、逆であってもよい。
【００６３】
〔第４実施形態〕
以下、第４実施形態に係るレンズアレイ等について説明する。なお、第４実施形態のレンズアレイ等は、第１実施形態のレンズアレイ等を変形したものであり、特に説明しない部分は第１実施形態と同様である。
【００６４】
図７（Ａ）〜７（Ｃ）に示すように、第１及び第２レンズアレイ１０，２０を構成する複数の第１及び第２レンズ要素１０ａ，２０ａは、ＸＹ面に平行に配列された正方の格子点（４×４の１６点）上に２次元的に配置されている。
【００６５】
当接部ＣＸは、主当接部３１と、主当接部３１とともに相対傾きを規定する２つの第１構造部３２と、主当接部３１とともに相互回転角を規定する第２構造部３３とを有する。主当接部３１は、単独で、少なくとも第１及び第２レンズ要素１０ａ，２０ａの配列面方向における、主当接部３１内の第１レンズ対Ａ１を構成する第１及び第２レンズ要素１０ａ，２０ａの相対位置と、主当接部３１内の第１レンズ対Ａ１を構成する第１及び第２レンズ要素１０ａ，２０ａの相対間隔とを規定し、他の当接部（構造部３２，３３）とともに相対傾きと相互回転角とを規定する。
【００６６】
第１及び第２構造部３２，３３は、第１及び第２構造部３２，３３は、第１支持部１０ｂに延在する矩形枠状のリム部１０ｒの四辺のうち主当接部３１に対向する一辺側に設けられている。
【００６７】
図７（Ｂ）及び７（Ｃ）等に示すように、２つの第１構造部３２は、主当接部３１とともに三角形の頂点に相当する位置に設けられている。つまり、有効領域外の部位が主当接部３１となる第１レンズ対Ａ１の中心及び２つの第１構造部３２の中心のうち１つは、第１又は第２レンズアレイ１０，２０の配列面方向において、３つの当接部ＣＸの中心の残り２つを結ぶ直線上以外の位置にある。
【００６８】
図７（Ａ）〜７（Ｃ）に示すように、第２構造部３３は、溝１２ｂと突起部２２ｂとで構成される。第２構造部３３は、主当接部３１の中心とレンズアレイユニット１００の中心軸ＡＸとを通る直線上付近に設けられている。溝１２ｂと突起部２２ｂとが嵌合することによって、第１及び第２レンズアレイ１０，２０の相互回転角が規定される。
【００６９】
〔第５実施形態〕
以下、第５実施形態に係るレンズアレイ等について説明する。なお、第５実施形態のレンズアレイ等は、第３実施形態のレンズアレイ等を変形したものであり、特に説明しない部分は第３実施形態と同様である。
【００７０】
図８（Ａ）〜８（Ｃ）に示すように、第１及び第２レンズアレイ１０，２０を構成する複数の第１及び第２レンズ要素１０ａ，２０ａは、ＸＹ面に平行に配列された正方の格子点（４×４の１６点）上に２次元的に配置されている。
【００７１】
当接部ＣＸは、主当接部３１と、主当接部３１とともに相対傾きと相互回転角とを規定する２つの第１レンズ対Ａ１の有効領域外に設けられた副当接部３４とを有する。
【００７２】
主当接部３１と２つの副当接部３４とは、ＸＹ面内において三角形の頂点に相当する位置に設けられている。つまり、有効領域外の部位が主当接部３１となる第１レンズ対Ａ１の中心、及び有効領域外の部位が副当接部３４となる２つの第１レンズ対Ａ１の中心のうち１つは、第１又は第２レンズアレイ１０，２０の配列面方向において、３つの当接部ＣＸの中心の残り２つを結ぶ直線上以外の位置にある。
【００７３】
以上、実施形態に係るレンズアレイユニット等について説明したが、本発明に係るレンズアレイユニット等は、上記例示のものには限られない。例えば、各レンズアレイ１０，２０を構成する第１及び第２レンズ要素１０ａ，２０ａの配列やその光学面１１ａ，１１ｂ，２１ａ，２１ｂの形状等は、レンズアレイユニット１００又は撮像装置１０００の用途又は仕様に応じて適宜変更することができる。例えば第１及び第２レンズ要素１０ａ，２０ａは、３×３、４×４の格子点に配列するものに限らず、例えば５×５等の格子点に配列することができる。また、格子点の配列は、正方に限らず、例えば菱形状としてもよい。なお、レンズアレイユニット１００を構成するレンズアレイは、上記例示の２層（レンズアレイ１０，２０）に限らず、３層以上とすることができる。この場合、隣接するレンズアレイ間で第１及び第２レンズアレイの関係を有する。
【００７４】
また、上記実施形態において、主当接部３１と他の当接部ＣＸとの配置は、図示した例に限らず、位置決めに影響を与えない範囲で適宜変更することができる。
【００７５】
また、上記実施形態において、第１及び第２レンズアレイ１０，２０を熱可塑性樹脂で形成したが、熱硬化性樹脂や光硬化性樹脂等の樹脂やガラス等で形成してもよい。この場合、材料に応じた成形方法によって第１及び第２レンズアレイ１０，２０を作製する。
【００７６】
また、上記実施形態において、第１レンズ対Ａ１の主当接部３１及び副当接部３４において、第１レンズアレイ１０側と第２レンズアレイ２０側とで周状に当接させたが、例えば第１及び第２レンズ要素１０ａ，２０ａの一部に突起等を設けて周の一部を当接させてもよい。
【００７７】
また、上記実施形態において、第１及び第２構造部３２，３３を第１及び第２支持部１０ｂ，２０ｂと一体に設けたが、第１及び第２支持部１０ｂ，２０ｂとは別の部材として設けてもよい。また、第１及び第２構造部３２，３３の配置を第１及び第２レンズアレイ１０，２０において逆にしてもよい。この場合、第２レンズアレイ２０側に第１及び第２構造部３２，３３の凸形状が形成される。
【００７８】
また、上記実施形態において、第１レンズ対Ａ１のうち第１レンズアレイ１０の第２光学面１１ｂ（第１面）を凹形状とし、第２レンズアレイ２０の第１光学面２１ａ（第２面）を凸形状としたが、逆にしてもよい。
【００７９】
また、上記実施形態において、第１レンズアレイ１０にリム部１０ｒを設けたが、第２レンズアレイ２０に設けてもよい。また、第１及び第２レンズアレイ１０，２０の両方に、一方から他方に向かって第１及び第２レンズ要素１０ａ，２０ａの配列面に垂直な方向に突出するリム部を設けてもよい。この場合、第１及び第２レンズアレイ１０，２０のリム部の総高さが第１及び第２レンズアレイ１０，２０間の距離Ｈ２よりも小さくなる。
【００８０】
なお、上記各実施形態においては、第１及び第２レンズアレイ１０，２０等の形状を矩形としたが、これに限るものではなく、四角形であればよく、例えば正方形であってもよい。
【符号の説明】
【００８１】
１ａ…合成レンズ、  １０，２０…レンズアレイ、  １０ａ，２０ａ…レンズ要素、  １０ｂ，２０ｂ…支持部、  １０ｒ…リム部、  １１ａ，１１ｂ，２１ａ，２１ｂ…光学面、  １２ｂ…溝、  ２２ｂ…突起部、  ３１…主当接部、  ３２，３３…構造部、  ３４…副当接部、  ５０…ケース、  ６０…センサーアレイ、  ７０…金型装置、  ７１，７２…金型、  ７１ｃ，７２ｃ…転写面、  ７１ｇ，７２ｇ…光学転写部、  ８０…成形品、  １００…レンズアレイユニット、  １０００…撮像装置、  Ａ１，Ａ２…レンズ対、  ＡＸ…中心軸、  ＣＸ…当接部、  ＯＡ…光軸、  ＬＰ…レンズ要素対、  ＵＴ…接着剤塗布部
【図１】
2014235307.tif 000003
【図２】
2014235307.tif 000004
【図３】
2014235307.tif 000005
【図４】
2014235307.tif 000006
【図５】
2014235307.tif 000007
【図６】
2014235307.tif 000008
【図７】
2014235307.tif 000009
【図８】
2014235307.tif 000010